(57)【要約】【課題】製品の偽造を行いにくいうえ、製品梱包段階での偽造も防止できる真贋判定システムを提供する。【解決手段】この真贋判定システムは、パッケージに製品を収容する位置の情報を取得し、製品情報、パッケージのシリアルコード、および収容位置情報をデータセットとしてデータベースに記憶させる一方、前記パッケージに前記シリアルコードを付与する。ユーザー端末でパッケージのシリアルコードを読み取り、シリアルコードを前記データベースで検索し、発見された前記データセットに含まれる前記製品収容位置と、予め前記データベースに登録されている、前記製品の製造許可が与えられている製造者の位置情報とを比較して、両者が合致しない場合には、前記ユーザー端末に異常表示させる。さらに、前記データセットに前記ユーザー位置情報を加えて記憶させる。【選択図】図１
2020095647.tif 000002
【特許請求の範囲】
【請求項１】
製品の真贋判定システムであって、
パッケージに製品を収容する位置に対応する収容位置情報を取得する収容位置情報取得装置；
前記製品を識別するための製品情報、前記パッケージを識別するためのシリアルコード、および前記収容位置情報をデータセットとしてデータベースに記憶させる情報登録装置；
前記パッケージに、前記シリアルコードを付与する情報付与装置；
ユーザー端末に設けられ、前記パッケージに付与された前記シリアルコードを取得する情報読取装置；
ユーザー端末に設けられ、ユーザーの位置に対応するユーザー位置情報取を取得するユーザー位置情報取得装置；
前記情報読取装置が読み取った前記シリアルコードを前記データベースで検索し、発見された前記データセットに前記ユーザー位置情報を加えて前記データベースに記憶させる検索装置；および
前記製品収容位置と、予め前記データベースに登録されている、前記製品の製造許可が与えられている製造者の位置情報とを比較し、前記製品収容位置が、前記製造者の位置情報と合致しない場合には、前記ユーザー端末に異常表示させる前記真贋判定装置を具備することを特徴とする製品の真贋判定システム。
【請求項２】
前記製品は医薬品であり、前記製品情報は、前記医薬品の名称、前記医薬品の効能、前記医薬品の使用期限、前記医薬品の製造年月日、前記医薬品の製造者、および、前記医薬品のロット番号のうち少なくとも１以上の情報を含むことを特徴とする請求項１記載の製品の真贋判定システム。
【請求項３】
前記検索装置はさらに、前記検索を行った時間に対応する時間情報、前記読み取りを行ったユーザーのＩＤ情報のうち少なくとも１以上の情報を、前記データセットに加えて前記データベースに記憶させることを特徴とする請求項１または２記載の製品の真贋判定システム。
【請求項４】
前記情報付与装置は、前記パッケージを識別するためのシリアルコードを、二次元バーコード、またはＲＦＩＤタグにより前記パッケージに付与することを特徴とする請求項１〜３のいずれかに記載の製品の真贋判定システム。
【請求項５】
前記製品データベースは、Ｐ２Ｐネットワークを有するブロックチェーンデータベースにより構成され、前記ブロックチェーンデータベース内の各ブロックには、タイムスタンプと前のブロックへのリンクが含まれていることを特徴とする請求項１〜４のいずれかに記載の製品の真贋判定システム。
【請求項６】
製品の真贋判定システムであって、
パッケージに製品を収容する位置に対応する収容位置情報を取得する収容位置情報取得装置；
前記製品を識別するための製品情報、前記パッケージを識別するためのシリアルコード、および前記収容位置情報をデータセットとしてデータベースに記憶させる情報登録装置；
前記パッケージに、前記パッケージのシリアルコードを付与する情報付与装置；
梱包容器に前記パッケージを梱包して梱包体を製造する位置に対応するの梱包位置情報を取得する梱包位置情報取得装置；
梱包された前記パッケージのシリアルコード、前記梱包容器を識別するためのシリアルコード、および前記梱包位置情報を、データセットとして前記データベースに記憶させる第２の情報登録装置；
前記梱包容器に、前記梱包容器のシリアルコードを付与する第２の情報付与装置；
卸業者端末に設けられ、前記梱包容器に付与されたシリアルコードを取得する情報読取装置；
前記卸業者端末に設けられ、前記卸業者の位置情報を取得する卸業者位置情報取得装置；
前記情報読取装置が読み取った前記梱包容器のシリアルコードを前記データベースで検索し、発見された前記データセットに前記卸業者位置情報を加えて前記データベースに記憶させる検索装置；
ユーザー端末に設けられ、前記パッケージに付与された前記シリアルコードを取得する第２の情報読取装置；
ユーザー端末に設けられ、前記ユーザーの位置の情報を取得するユーザー位置情報取得装置；
前記第２の情報読取装置が読み取った前記シリアルコードを前記データベースで検索し、発見された前記データセットに前記ユーザー位置情報を追加して前記データベースに記憶させる第２の検索装置；および
前記製品収容位置と、前記製品梱包位置と、予め前記データベースに登録されている、前記製品を製造許可されている製造者の位置情報とを比較し、前記製品収容位置および前記製品梱包位置の少なくともいずれかが、前記製品を製造許可されている製造者の位置情報と合致しない場合には、前記ユーザー端末において異常表示させる前記真贋判定装置を具備することを特徴とする製品の真贋判定システム。
【請求項７】
前記真贋判定装置は、前記収容位置情報と、前記梱包位置情報と、前記卸業者位置情報と、前記ユーザー位置情報を相互に比較し、いずれかが他よりも予め設定された距離以上離れている場合に前記ユーザー端末において異常表示させることを特徴とする請求項６記載の製品の真贋判定システム。
【請求項８】
前記真贋判定装置は、前記卸業者位置情報と、予め前記データベースに登録されている、前記製品を販売許可されている卸業者の位置情報とを比較し、合致しない場合には、前記ユーザー端末において異常表示させることを特徴とする請求項６または７に記載の製品の真贋判定システム。
【発明の詳細な説明】
【技術分野】
【０００１】
本発明は、医薬品などの製品の流通経路において、エンドユーザーがその製品が正規品であるか否かを判定するための製品の真贋判定システムに関する。
【背景技術】
【０００２】
医薬品などの製品が世界的に広がるにつれ、正規品よりも価格が安い偽造品の市場も広がる傾向がある。医薬品は一般に、製薬会社で錠剤などの形で製造され、ブリスターパック等に封入されたのち、製品名を印刷した小売り用の一次パッケージに入れられ、さらに卸用の二次パッケージに封入して卸業者へ出荷される。
【０００３】
卸業者では、二次パッケージのまま、あるいは、二次パッケージを開封して小売り用の一次パッケージを取り出したうえ、小売業者へ販売する。さらに小売業者では、通常は一次パッケージのままエンドユーザーへ販売するが、新興国などでは、小売業者が一次パッケージを開封し、ブリスターパックを取り出して、その状態でエンドユーザーへ販売することもある。
【０００４】
模造品は、これら一連の流通経路のうちどこかで、場合によっては卸業者や小売業者により混入され、正規品に代わってエンドユーザーへ販売されてしまう。模造品は価格が安い代わりに医薬品として信頼性が低く、健康を損なうおそれもあるうえ、医薬品産業にも損害を与えるために有効な取り締まり方法が求められている。ブリスターパックの状態では、さらに偽造を取り締まりにくい。
【０００５】
医薬品ではないが、製品の偽造防止システムとしては、例えば、特許文献１に示すものが公知である。この製品偽造防止システムは、各製品にシリアル番号を記録したＲＦＩＤタグを付け、ユーザーはＲＦＩＤリーダーにより前記ＲＦＩＤタグから内部コードを読み取り、シリアル番号とサーバーに記録された製品情報を照合することによって、製品の信頼性および提供元の合法性が判断できるとしている。
【先行技術文献】
【特許文献】
【０００６】
【特許文献１】特開２０１３−２５８１６号公報
【発明の概要】
【発明が解決しようとする課題】
【０００７】
しかし、上記のようなシステムでは、偽のシリアル番号を記録したＲＦＩＤタグを偽造されると偽造品であるか否かの判別ができなくなってしまい、十分な偽造防止効果が発揮できなかった。
【課題を解決するための手段】
【０００８】
上記課題を解決するために、本発明に係る製品の真贋判定システムは、
パッケージに製品を収容する位置に対応する収容位置情報を取得する収容位置情報取得装置；
前記製品を識別するための製品情報、前記パッケージを識別するためのシリアルコード、および前記収容位置情報をデータセットとしてデータベースに記憶させる情報登録装置；
前記パッケージに、前記シリアルコードを付与する情報付与装置；
ユーザー端末に設けられ、前記パッケージに付与された前記シリアルコードを取得する情報読取装置；
ユーザー端末に設けられ、ユーザーの位置に対応するユーザー位置情報取を取得するユーザー位置情報取得装置；
前記情報読取装置が読み取った前記シリアルコードを前記データベースで検索し、発見された前記データセットに前記ユーザー位置情報を加えて前記データベースに記憶させる検索装置；および
前記製品収容位置と、予め前記データベースに登録されている、前記製品の製造許可が与えられている製造者の位置情報とを比較し、前記製品収容位置が、前記製造者の位置情報と合致しない場合には、前記ユーザー端末に異常表示させる前記真贋判定装置を具備する。
【０００９】
前記製品の真贋判定システムは、製造会社が製品を収容したパッケージを製造し、ユーザーがこのパッケージを購入する場合に、以下のように機能する。
製品をパッケージに収容する段階では、収容位置情報取得装置が、パッケージに製品を収容する位置に対応する収容位置情報を例えばＧＰＳ装置などから取得する。情報登録装置は、製品情報、前記パッケージを識別するためのシリアルコード、および前記収容位置情報をデータセットとしてデータベースに記憶させる。情報付与装置が、前記パッケージに、前記パッケージのシリアルコードを例えばプリンタ等により付与する。
【００１０】
一方、ユーザーがパッケージを購入する段階では、ユーザー端末に設けられた情報読取装置により、前記パッケージに付与されたシリアルコードを取得する一方、ユーザー端末に設けられたユーザー位置情報取得装置が、ユーザーの位置に対応するユーザー位置情報取を取得する。検索装置が、前記情報読取装置が読み取った前記シリアルコードを前記データベースで検索し、発見された前記データセットに前記ユーザー位置情報を加えて前記データベースに記憶させる。真贋判定装置は、前記製品収容位置と、予め前記データベースに登録されている、前記製品の製造許可が与えられている製造者の位置情報とを比較し、両者が合致しない場合には、前記ユーザー端末に異常表示させる。
【００１１】
このような真贋判定システムによれば、パッケージに製品を収容する収容位置情報を取得して、それをデータベースに記憶しておき、ユーザー端末では、製品収容位置と、製品の製造許可が与えられている製造者の位置情報とを比較して真贋を判定するので、ＲＦＩＤタグ中のシリアルコードを確認する方法に比して偽造を行いにくく、真贋判断の確実性を高めることができる。
【００１２】
本発明の他の態様の製品の真贋判定システムは、
パッケージに製品を収容する位置に対応する収容位置情報を取得する収容位置情報取得装置；
前記製品を識別するための製品情報、前記パッケージを識別するためのシリアルコード、および前記収容位置情報をデータセットとしてデータベースに記憶させる情報登録装置；
前記パッケージに、前記パッケージのシリアルコードを付与する情報付与装置；
梱包容器に前記パッケージを梱包して梱包体を製造する位置に対応するの梱包位置情報を取得する梱包位置情報取得装置；
梱包された前記パッケージのシリアルコード、前記梱包容器を識別するためのシリアルコード、および前記梱包位置情報を、データセットとして前記データベースに記憶させる第２の情報登録装置；
前記梱包容器に、前記梱包容器のシリアルコードを付与する第２の情報付与装置；
卸業者端末に設けられ、前記梱包容器に付与されたシリアルコードを取得する情報読取装置；
前記卸業者端末に設けられ、前記卸業者の位置情報を取得する卸業者位置情報取得装置；
前記情報読取装置が読み取った前記梱包容器のシリアルコードを前記データベースで検索し、発見された前記データセットに前記卸業者位置情報を加えて前記データベースに記憶させる検索装置；
ユーザー端末に設けられ、前記パッケージに付与された前記シリアルコードを取得する第２の情報読取装置；
ユーザー端末に設けられ、前記ユーザーの位置の情報を取得するユーザー位置情報取得装置；
前記第２の情報読取装置が読み取った前記シリアルコードを前記データベースで検索し、発見された前記データセットに前記ユーザー位置情報を追加して前記データベースに記憶させる第２の検索装置；および
前記製品収容位置と、前記製品梱包位置と、予め前記データベースに登録されている、前記製品を製造許可されている製造者の位置情報とを比較し、前記製品収容位置および前記製品梱包位置の少なくともいずれかが、前記製品を製造許可されている製造者の位置情報と合致しない場合には、前記ユーザー端末において異常表示させる前記真贋判定装置を具備する。
【００１３】
このような真贋判定システムは、製造会社等において製品をパッケージに収容し、これらパッケージを梱包容器に梱包し、卸業者が梱包容器を流通させ、ユーザーがパッケージを購入する過程において、以下のように機能する。
【００１４】
製品をパッケージに収容する段階では、収容位置情報取得装置が、パッケージに製品を収容する位置に対応する収容位置情報を取得する。情報登録装置が、前記製品を識別するための製品情報、前記パッケージを識別するためのシリアルコード、および前記収容位置情報をデータセットとしてデータベースに記憶させる。情報付与装置が前記パッケージに、前記パッケージのシリアルコードを付与する。
【００１５】
梱包段階では、梱包位置情報取得装置が、梱包容器に前記パッケージを梱包して梱包体を製造する位置に対応する梱包位置情報を取得する。第２の情報登録装置が、梱包された前記パッケージのシリアルコード、前記梱包容器を識別するためのシリアルコード、および前記梱包位置情報を、データセットとして前記データベースに記憶させる。第２の情報付与装置が、前記梱包容器に、前記梱包容器のシリアルコードを付与する。
【００１６】
卸業者段階では、卸業者端末に設けられた情報読取装置により、前記梱包容器に付与されたシリアルコードを取得する。前記卸業者端末に設けられた卸業者位置情報取得装置が前記卸業者の位置情報を取得する。検索装置が、前記情報読取装置が読み取った前記梱包容器のシリアルコードを前記データベースで検索し、発見された前記データセットに前記卸業者位置情報を加えて前記データベースに記憶させる。
【００１７】
ユーザー段階では、ユーザー端末に設けられた第２の情報読取装置が、前記パッケージに付与された前記シリアルコードを取得する。ユーザー端末に設けられたユーザー位置情報取得装置が、前記ユーザーの位置の情報を取得する。第２の検索装置が、前記第２の情報読取装置が読み取った前記シリアルコードを前記データベースで検索し、発見された前記データセットに前記ユーザー位置情報を追加して前記データベースに記憶させる。真贋判定装置が、前記製品収容位置と、前記製品梱包位置と、予め前記データベースに登録されている、前記製品を製造許可されている製造者の位置情報とを比較し、前記製品収容位置および前記製品梱包位置の少なくともいずれかが、前記製品を製造許可されている製造者の位置情報と合致しない場合には、前記ユーザー端末において異常表示させる。
【００１８】
このような製品の真贋判定システムによれば、パッケージに製品を収容する収容位置情報、および梱包容器にパッケージを収容する梱包位置情報を取得してデータベースに記憶させる一方、ユーザー端末では、前記製品収容位置と、前記製品梱包位置と、予め前記データベースに登録されている前記製品を製造許可されている製造者の位置情報とを比較し真贋を判定するため、シリアルコードを単に確認する方法に比して、偽造を行いにくいうえ、製品梱包段階での偽造も防止でき、真贋判断の確実性を高めることができる。
また、製品をパッケージに収容する段階で偽造された場合、および、パッケージを梱包体として梱包する段階で偽造された場合のいずれにおいても、確実に真贋を判定することが可能であり、かつ、いずれの段階で偽造されたかの判別も行える。
【発明の効果】
【００１９】
本発明の製品の真贋判定システムによれば、パッケージに製品を収容する収容位置、および／または、梱包容器にパッケージを収容する梱包位置情報と、予め前記データベースに登録されている前記製品を製造許可されている製造者の位置情報とを比較して製品の真贋を判定するので、製品に付与されたシリアルコードに基づき製品情報を単に確認する方法に比して、偽造を行いにくいうえ、製品梱包段階での偽造品混入も防止でき、真贋判断の確実性を高めることができる。
【図面の簡単な説明】
【００２０】
【図１】本発明の製品の真贋判定システムの一実施形態の一部を示す概略図である。
【図２】同実施形態の他の部分を示す概略図である。
【図３】端末の構成を示すブロック図である。
【図４】同実施形態が対象とする製品として、ブリスターパックに封入された医薬品の表面（ａ）と裏面（ｂ）を示す平面図である。
【図５】同実施形態における医薬品の製造工程と販売工程の推移を示す概略図である。
【図６】同実施形態における製造過程でのフローチャートである。
【図７】同実施形態における販売過程でのフローチャートである。
【発明を実施するための形態】
【００２１】
図１および図２は、本発明の製品の真贋判定システムの一実施形態１を示す概略図であり、図１は製品を製造して梱包するまでの構成、図２は梱包された製品を販売していくための構成を示している。この実施形態では製品が医薬品であるが、本発明が対象とする製品は医薬品に限定されるものではなく、パッケージに収容されて流通される製品であれば、食料品、各種部品類、生活用品など、いかなる物も対象となり得る。また、この実施形態では、システムＬ１〜Ｌ６がそれぞれ１つずつ示されているが、各システムＬ１〜Ｌ６の数は任意である。システムＬ１〜Ｌ６のいずれかが省略されていてもよいし、さらに多段階の梱包または中間流通の段階が設けられていてもよい。
【００２２】
［製造側の構成］
図１を用いて、製造側の構成から説明する。この実施形態の真贋判定システム１は、医薬品である錠剤Ｐ１が封入されたブリスターパックＰ２を製造するブリスターパック製造ラインＬ１と、ブリスターパックＰ２が封入されたパッケージＰ３を製造するパッケージ製造ラインＬ２と、パッケージＰ３が梱包された梱包体Ｐ４を製造する梱包ラインＬ３と、インターネット５６に接続されたサーバー５８と、サーバー５８に接続されたデータベース６０を有する。
【００２３】
［ブリスターパック製造ラインＬ１］
ブリスターパック製造ラインＬ１は、多数のポケット４が予め複数列に形成されている帯状のプラスチック製の表面シート２を、間欠的に長手方向に送る送り機構１０と、各ポケット４内に錠剤Ｐ１を一つずつ入れる錠剤分配装置３Ａと、ポケット４内に錠剤Ｐ１が入った表面シート２の上に同幅の裏面シート６を被せて表面シート２に接着するシート接合装置８と、裏面シート６の上面に二次元バーコード１３を印刷、または二次元バーコード１３を印刷したシールを張り付けるプリンタ１２と、シートを切断してブリスターパックＰ２を得る切断装置（図示略）を有する。プリンタ１２はクライアント（コンピュータ）１４に接続され、クライアント１４には、画像出力を表示するモニタ１６と、ブリスターパックＰ２用のシリアルコードを生成するシリアルコード生成装置２０と、ブリスターパック製造ラインＬ１の位置情報を常時取得するためのＧＰＳ装置１８とが接続されている。
【００２４】
図４は、ブリスターパックＰ２の一例を示し、図４（ａ）は表面、図４（ｂ）は裏面を示す。ブリスターパックＰ２は矩形状をなし、表面シート２は弾力を有する透明なプラスチックで形成され、一列または複数列（この例では二列）の凹んだポケット４が形成されている。ポケット４の中には錠剤Ｐ１が通常一つずつ入れられ、アルミニウム箔などからなる裏面シート６が表面シート２に接着されてポケット４が封止されている。ブリスターパックＰ２には幅方向に延びる弱化線３が一定長さ毎に形成されて切り離し可能となっている。途上国では、このブリスターパックＰ２の状態でエンドユーザーに販売されることがあり、医薬品の偽造問題を複雑にしている。
【００２５】
裏面シート６には、矩形状の二次元バーコード１３（例えばＱＲコード（登録商標））が直接印刷されるか、または二次元バーコード１３を印刷したシールが張り付けられている。二次元バーコード１３が設けられる位置は、裏面シート６の中央部であってもよいし、いずれか一方の端部、または両端部であってもよい。裏面シート６の全面に多数の二次元バーコード１３を印刷する構成も可能である。本発明では、二次元バーコードを使用する代わりに、一次元バーコードを用いてもよいし、情報付与装置としては、上記のようなプリンタの他に、無線通信機能およびデータメモリを備えたＲＦＩＤタグに、無線通信を通じてシリアルコードを記録し、そのＲＦＩＤタグを、ブリスターパックＰ２、パッケージＰ３、および梱包体Ｐ４のそれぞれに物理的に固定する装置であってもよい。
【００２６】
［製品情報］
クライアント１４には予め、錠剤Ｐ１に関する製品情報が記憶されている。製品情報は、例えば、医薬品の名称、商標名、効能、成分、使用上の注意事項、使用期限、製造年月日、医薬品の製造者、医薬品の製造場所、および、医薬品のロット番号のうち少なくとも１以上の情報を含んでいてもよい。これらの全てであってもよく、さらに他の情報を含んでいても良い。
【００２７】
［パッケージ製造ラインＬ２］
パッケージ製造ラインＬ２は、商品としての外箱となる箱２６を運ぶコンベヤ２２およびロール２４と、複数のブリスターパックＰ２を箱２６に詰め込んで箱２６の蓋を閉じてパッケージＰ３を製造するパッケージ組立装置（図示略）と、パッケージＰ３の上面に二次元バーコード２９を印刷、または二次元バーコード２９を印刷したシールを張り付けるプリンタ２８とを有する。プリンタ２８はクライアント（コンピュータ）３０に接続され、クライアント３０には、画像出力を表示するモニタ３２と、パッケージＰ３用のシリアルコードを生成するシリアルコード生成装置３６と、パッケージ製造ラインＬ２の位置情報を常時取得するためのＧＰＳ装置３４が接続されている。
【００２８】
［梱包ラインＬ３］
梱包ラインＬ３は、梱包容器としての大箱４４を運ぶコンベヤ４０およびロール４２と、複数のパッケージＰ３を大箱４４に詰め込んで大箱４４の蓋を閉じて梱包体Ｐ４を製造する梱包装置（図示略）と、梱包体Ｐ４の上面に二次元バーコード４７を印刷、または二次元バーコード４７を印刷したシールを張り付けるプリンタ４６とを有する。プリンタ４６はクライアント（コンピュータ）４８に接続され、クライアント４８には、画像出力を表示するモニタ５０と、梱包体Ｐ４用のシリアルコードを生成するシリアルコード生成装置５２と、梱包ラインＬ３の位置情報を取得するためのＧＰＳ装置５４が接続されている。
【００２９】
［販売側の構成］
図２に示すように、インターネット５６には、卸業者システムＬ４、小売業者システムＬ５、およびエンドユーザーシステムＬ６も常時または必要時に接続可能とされ、これらＬ４〜Ｌ６もサーバー５８と常時または必要時に通信を行う。図示の例では、卸業者システムＬ４、小売業者システムＬ５、およびエンドユーザーシステムＬ６は、いずれもカメラ機能を有するスマートホン６２，６６，７０において専用のアプリケーションを実行することにより構築される。
【００３０】
スマートホン６２，６６，７０は全く同じ機種・機能であってもよく、アプリケーションも同一のものであっても構わない。卸業者システムＬ４、小売業者システムＬ５、およびエンドユーザーシステムＬ６の機能の差は、それぞれの端末に入力される利用者ＩＤによって切り替えるようにしてもよい。また、本発明はスマートホンの利用に限らず、ノート型コンピューターやデスクトップ型コンピューター、もしくは専用端末を利用してもよい。
【００３１】
図３は、スマートホン６２，６６，７０の内部構成を示す。各スマートホン６２，６６，７０はＣＰＵ（中央処理装置）７４を有し、ＣＰＵ７４内に演算装置７６および制御装置７８が構築されている。演算装置７６はバスを介して主記憶装置８０に接続され、主記憶装置８０にはバスを介してキーボードやマイクなどの入力装置８４、位置情報取得装置としてのＧＰＳ装置６４，６８，７２、情報読取装置となるカメラ８６、外部記憶装置８２、ディスプレイやスピーカーなどの出力装置８８が接続されている。ＧＰＳ装置６４，６８，７２は、スマートホンに内蔵されていてもよいし、外部ユニットとして、スマートホンに有線または無線で接続されるものであってもよい。
【００３２】
クライアント１４、３０，４８、並びに、卸業者端末６２、小売業者端末６６、ユーザー端末７０が、サーバー５８と接続する場合には、各端末１４，３０，４８、６２，６６，７０から、例えば、ユーザーＩＤおよびパスワードをサーバー５８へ送り、予めサーバー５８に登録されているユーザーＩＤおよびパスワードと照合して、合致すればクライアントとして接続が許可されるなどの方法が採られる。ユーザーＩＤおよびパスワードは、接続の都度、各端末１４，３０，４８、６２，６６，７０から入力しても良いが、最初の接続時に入力されれば、スマートホンまたはコンピューターの外部記憶装置８２に記憶され、次回の接続時からは、外部記憶装置８２から自動的に読み出されて、サーバー５８へ送られて自動的に接続が許可されることが好ましい。
【００３３】
この実施形態では、各クライアント１４，３０，４８、６２，６６，７０と、それらからの要求に応じて、データベース６０に記憶された情報を処理するサーバー５８とを備えているが、その代わりに、分散型台帳技術を用いたブロックチェーンデータベースを利用したシステムとしてもよい。この場合、データベースは、Ｐ２Ｐネットワークを有するブロックチェーンデータベースにより構成され、前記ブロックチェーンデータベース内の各ブロックには、タイムスタンプと前のブロックへのリンクが含まれる。ブロックチェーンデータベースを用いた場合には、ブロック内のデータを遡及的に変更することはできないため、シリアルコード等のデータ改竄がより困難になる利点が得られる。
【００３４】
［卸業者システムＬ４］
卸業者システムＬ４は、卸業者が梱包体Ｐ４を仕入れた際に、卸業者が梱包体Ｐ４を検査および登録するために使用される。さらに、卸業者が梱包体Ｐ４をそのまま小売業者へ出荷したり、あるいは、卸業者が梱包体Ｐ４を開いてパッケージＰ３を取り出し、これらパッケージＰ３を小売業者へ出荷する際に用いることもできる。パッケージＰ３を取り出して出荷時に登録する必要があれば、その際の機能は、後述する小売業者システムＬ５の機能と基本的に同じである。
【００３５】
卸業者システムＬ４は卸業者端末６２により構成され、卸業者端末６２は、スマートホンに専用のアプリケーションを実行させることにより構築される。卸業者端末６２は情報読取装置６２Ａと、卸業者位置情報取得装置６２Ｂとを有する。
【００３６】
情報読取装置６２Ａは、卸業者がカメラ装置８６を梱包体Ｐ４上の二次元バーコード４７に向け、例えばディスプレイ上に画像４７Ａを表示した状態でシャッターを切ることにより、二次元バーコード４７を読み取り、その情報を解析して、製品情報、梱包体Ｐ４内のパッケージＰ３のシリアルコード一式、梱包容器Ｐ４のシリアルコード、および梱包ラインＬ３で付与された梱包位置情報を取得する。
【００３７】
卸業者位置情報取得装置６２Ｂは、ＧＰＳ装置６４により衛星測位システムからの電波を受信し、卸業者の位置の情報（例えば、緯度と経度）を取得する。必要な場合には、位置情報の中に高度を加えることも可能である。高度を加えた場合、より正確に位置の同一性を確認することが可能となる。
【００３８】
［小売業者システムＬ５］
小売業者システムＬ５は、小売業者がパッケージＰ３を仕入れた際に、小売業者がパッケージＰ３を検査および登録するために使用される。小売業者が存在しない場合には、卸業者から直接、エンドユーザーへパッケージＰ３が販売されるため、エンドユーザーシステムＬ６が使用される。小売業者がパッケージＰ３をそのまま小売業者へ出荷したり、あるいは、小売業者がパッケージＰ３を開いてブリスターパックＰ２を取り出し、これらブリスターパックＰ２をエンドユーザーへ出荷する際に用いることもできる。ブリスターパックＰ２を取り出して出荷時に登録する必要があれば、その際の機能は、後述するエンドユーザーシステムＬ６の機能と基本的に同じでよい。
【００３９】
小売業者システムＬ５は、小売業者端末６６により構成され、小売業者端末６６は、スマートホンに専用のアプリケーションを実行させることにより構築される。小売業者端末６６は情報読取装置６６Ａと、位置情報取得装置６６Ｂとを有する。
【００４０】
情報読取装置６６Ａは、卸業者がカメラ装置８６をパッケージＰ３上の二次元バーコード２９に向け、例えばディスプレイ上に画像２９Ａを表示した状態でシャッターを切ることにより、二次元バーコード２９を読み取り、その情報を解析して、製品情報、パッケージＰ３内のブリスターパックＰ２を識別するための情報、パッケージＰ３のシリアルコード、および収容ラインＬ２で付与された収容位置情報を取得する。
【００４１】
位置情報取得装置６６Ｂは、ＧＰＳ装置６８により衛星測位システムからの電波を受信し、卸業者の位置の情報（例えば、緯度と経度）を取得する。必要な場合には、位置情報の中に高度を加えることも可能である。高度を加えた場合、より正確に位置の同一性を確認することが可能となる。
【００４２】
［エンドユーザーシステムＬ６］
エンドユーザーシステムＬ６は、エンドユーザーがブリスターパックＰ２またはパッケージＰ３を購入する直前、または、購入した直後に、エンドユーザーがブリスターパックＰ２またはパッケージＰ３の真贋を確認するために使用される。購入する直前に検査を行う場合には、偽物であることが判明したら、購入を止めることができる。購入した直後に検査を行う場合には、偽物であることが判明したら、品物を返品して購入金額の返却を受けるか、別の品物と交換することができる。
【００４３】
エンドユーザーシステムＬ６は、ユーザー端末７０により構成され、ユーザー端末７０は、スマートホンに専用のアプリケーションを実行させることにより構築される。ユーザー端末７０は情報読取装置７０Ａと、位置情報取得装置７０Ｂとを有する。
【００４４】
情報読取装置７０Ａは、エンドユーザーがカメラ装置８６をブリスターパックＰ２上の二次元バーコード１３に向け、例えばディスプレイ上に画像１３Ａを表示した状態でシャッターを切ることにより、二次元バーコード１３を読み取り、その情報を解析して、製品情報、ブリスターパックＰ２のシリアルコード、およびブリスターパック製造ラインＬ１で付与された位置情報を取得する。
【００４５】
位置情報取得装置７０Ｂは、ＧＰＳ装置７２により衛星測位システムからの電波を受信し、エンドユーザーの位置の情報（例えば、緯度と経度）を取得する。必要な場合には、位置情報の中に高度を加えることも可能である。高度を加えた場合、より正確に位置の同一性を確認することが可能となる。
【００４６】
［サーバー５８］
サーバー５８には、専用のコンピュータープログラムを実行することにより、データベース６０の検索を行う検索装置５８Ａと、製品の真贋を判定する真贋判定装置５８Ｂと、データベース６０への情報登録を担う情報登録装置５８Ｃとが構築されている。
【００４７】
検索装置５８Ａは、卸業者端末６２、小売業者端末６６、およびユーザー端末７０内に構築される情報読取装置が読み取った梱包体Ｐ４、パッケージＰ３、またはブリスターパックＰ２のシリアルコードをデータベース６０内で検索し、発見されたデータセットに各端末６２，６６，７０で新たに計測された位置情報を加えてデータベース６０に記憶させる。検索装置５８Ａは、梱包体Ｐ４のシリアルコードから、その中に含まれるパッケージＰ３のデータセットを検索し、さらにパッケージＰ３に含まれるブリスターパックＰ２のデータセットまでも検索して取得することができる。
【００４８】
真贋判定装置５８Ｂは、卸業者端末６２、小売業者端末６６、またはユーザー端末７０から要求を受けた場合に、ブリスターパックＰ２が製造された製造ラインＬ１の位置、パッケージＰ３が製造された製造ラインＬ２の位置（製品収容位置）、および梱包体Ｐ４が製造された梱包ラインＬ３の位置（製品梱包位置）を、予めデータベース６０に登録されている、錠剤Ｐ１を製造許可されている製造者の位置情報とを比較し、前記製品収容位置および前記製品梱包位置の少なくともいずれかが、前記製品を製造許可されている製造者の位置情報と合致しない場合には、前記ユーザー端末において異常表示させる。
【００４９】
位置が一致するか否かは、例えば、比較する２点間の距離が一定距離（例えば１ｋｍ）以下であるか否かによって判定する。上記距離は適宜設定すればよく、大規模企業であれば数値を大きくするなど、製造会社毎に定めてもよい。また、製造会社の製造拠点が複数ある場合には、それらの製造拠点のいずれかと一致すれば、位置情報が合致したと判断してもよい。製造拠点毎に、前記距離を定めてもよい。
【００５０】
図５は、製品の製造工程Ｌ１〜Ｌ３および販売工程Ｌ４〜Ｌ６の各段階における対象物Ｐ２〜Ｐ４、各端末からデータベース６０へ登録される時間・位置情報Ｑ１〜Ｑ６、各端末からデータベース６０へ入力される利用者ＩＤ：Ａ１〜Ａ６、データベース６０で記憶されている製品情報Ｂ１の推移を示した説明図である。製品情報Ｂ１は、ブリスターパック製造ラインＬ１で入力された情報がそのまま維持される。
【００５１】
次に、上記の真贋判定システム１の作用を、図６および図７に示すフローチャートを参照しつつ説明する。図６は製造側のフロー、図７は販売側のフローを示す。
【００５２】
［製造側のフロー］
図６および図１に示すように、製造側のフローブリスターパック製造ラインＬ１では、表面シート２を送り機構１０によって間欠的に長手方向に送りながら、錠剤分配装置３Ａによって各ポケット４内に錠剤Ｐ１を一つずつ入れる。シート接合装置８が表面シート２の上に裏面シート６を被せて表面シート２に接着し、図示しない切断装置がシートを切断してブリスターパックＰ２に分割する（工程Ｓ１）。
【００５３】
新たなブリスターパックＰ２が製造されるたびに、シリアルコード生成装置２０は新規なシリアルコードを一つずつ生成するとともに（工程Ｓ２）、ＧＰＳ装置１８がブリスターパック製造ラインＬ１の位置情報を取得する（工程Ｓ３）。シリアルコード生成装置２０はブリスターパックＰ２の一枚ごとに新規なシリアルコードを生成してもよいし、あるいは一定枚数毎、もしくは製造ロット毎に新規なシリアルコードを生成してもよい。
【００５４】
クライアント１４には予め、錠剤Ｐ１に関する製品情報が記憶されており、クライアント１４は、製品情報と、ブリスターパックＰ２のシリアルコードと、ブリスターパック製造ラインＬ１の位置情報をまとめて、ブリスターパックＰ２毎にデータセットを生成し、それを二次元バーコード画像データに変換する。データセットの容量が大きい場合は、シリアルコードのみまたはシリアルコードと一部の情報（例えば製品名称）のみを二次元バーコード画像データに変換することも可能である。
【００５５】
クライアント１４は、二次元バーコード画像データをプリンタ１２へ送り、プリンタ１２はブリスターパックＰ２の裏面に二次元バーコード１３を印刷もしくはシール貼付する（工程Ｓ４）。クライアント１４は、ブリスターパックＰ２毎のデータセットをインターネット５６を介してサーバー５８に送り、サーバー５８は、データセットを順次記憶する（工程Ｓ５）。
【００５６】
次に、パッケージ製造ラインＬ２では、一定数のブリスターパックＰ２を箱２６に詰め、パッケージ組立装置（図示略）により蓋を閉じてパッケージＰ３を製造する（工程Ｓ６）。パッケージＰ３が製造される毎に、シリアルコード生成装置３６が新規なシリアルコードを生成する（工程Ｓ７）とともに、ＧＰＳ装置３４が、パッケージ製造ラインＬ２の位置情報を取得する（工程Ｓ８）。
【００５７】
クライアント３０は、パッケージＰ３のシリアルコードと、このパッケージＰ３に入っているブリスターパックＰ２のシリアルコード一式と、パッケージ製造ラインＬ２の位置情報をまとめて、データセットを生成し、それを二次元バーコード画像データに変換する。データセットの容量が大きい場合は、シリアルコードのみまたはシリアルコードと一部の情報（例えば製品名称）のみを二次元バーコード画像データに変換することも可能である。
【００５８】
クライアント３０は、二次元バーコード画像データをプリンタ２８へ送り、プリンタ２８はパッケージＰ３の一部（例えば上面）に二次元バーコード２９を印刷する（工程Ｓ９）。クライアント３０は、パッケージＰ３毎のデータセットをインターネット５６を介してサーバー５８に送る。サーバー５８は、データベース６０にパッケージＰ３のデータセットを記憶する（工程Ｓ１０）。
【００５９】
次に、梱包ラインＬ３では、一定数のパッケージＰ３を大箱４４に詰め、組立装置（図示略）により蓋を閉じて梱包体Ｐ４を製造する（工程Ｓ１１）。梱包体Ｐ４が製造される毎に、シリアルコード生成装置５２が梱包体Ｐ４の新規なシリアルコードを生成する（工程Ｓ１２）とともに、ＧＰＳ装置５４が、梱包ラインＬ３の位置情報を取得する（工程Ｓ１３）。
【００６０】
クライアント４８は、梱包体Ｐ４のシリアルコードと、このパッケージＰ３に入っているブリスターパックＰ２のシリアルコード一式と、パッケージ製造ラインＬ２の位置情報をまとめて、データセットを生成し、それを二次元バーコード画像データに変換する。データセットの容量が大きい場合は、梱包体Ｐ４のシリアルコードのみまたは梱包体Ｐ４のシリアルコードと一部の情報のみを二次元バーコード画像データに変換することも可能である。
【００６１】
クライアント４８は、二次元バーコード画像データをプリンタ４６へ送り、プリンタ４６は梱包体Ｐ４の一部（例えば上面）に二次元バーコード４７を印刷する（工程Ｓ１４）。クライアント４８は、梱包体Ｐ４毎のデータセットをインターネット５６を介してサーバー５８に送る。サーバー５８は、データベース６０に梱包体Ｐ４のデータセットを記憶する（工程Ｓ１５）。
【００６２】
［販売側のフロー］
図７に示すように、卸業者システムＬ４では、卸業者が梱包体Ｐ４を仕入れた際（工程Ｓ２０）に、卸業者がスマートホンのアプリケーションを起動し、卸業者端末６２を構築する。卸業者はカメラ装置８６により梱包体Ｐ４上の二次元バーコード４７を撮影する（工程Ｓ２１）。情報読取装置６２Ａが二次元バーコード４７の情報を解析して、梱包容器Ｐ４のシリアルコードを取得する（工程Ｓ２２）とともに、二次元バーコード４７に含まれている他の情報（製品情報、梱包体Ｐ４内のパッケージＰ３のシリアルコード一式、および梱包ラインＬ３で付与された梱包位置情報のいずれかまたは全て）を取得する。
【００６３】
卸業者端末６２の位置情報取得装置６２Ｂは、ＧＰＳ装置６４により衛星測位システムからの電波を受信し、卸業者の位置情報を取得する（工程Ｓ２３）。卸業者端末６２は梱包容器Ｐ４のシリアルコードをサーバー５８へ送るとともに、取得した場合には他の情報もサーバー５８へ送る。サーバー５８内の検索装置５８Ａは、データベース６０内で梱包容器Ｐ４のシリアルコードを検索し、梱包容器Ｐ４のデータセットが発見されたら、そのデータセットに、卸業者の位置情報を追記する（工程Ｓ２４）。
【００６４】
サーバー５８の真贋判定装置５８Ｂは、ブリスターパック製造ラインＬ１の位置情報と、パッケージ製造ラインＬ２の位置情報と、梱包ラインＬ３の位置情報を、予めデータベース６０に登録されている、錠剤Ｐ１を製造許可されている製造者の位置情報と比較する（工程Ｓ２５）。真贋判定装置５８Ｂは、Ｌ１〜Ｌ３の位置情報の少なくとも一つが、錠剤Ｐ１を製造許可されている製造者の位置情報と合致しない場合、または、データベース６０内で梱包容器Ｐ４のシリアルコードが発見できない場合には、卸業者端末６２において異常表示させる（工程Ｓ２６）。異常表示としては、ディスプレイに異常である旨を表示してもよいし、スピーカーから警報を発してもよいし、両方を行ってもよい（この点は以下同様である）。これにより、卸業者は偽造に気づくことができる。
【００６５】
次に、小売業者システムＬ５では、小売業者がパッケージＰ３を仕入れた際（工程Ｓ２７）に、小売業者がスマートホンのアプリケーションを起動し、小売業者端末６６を構築する。小売業者はカメラ装置８６によりパッケージＰ３上の二次元バーコード２９を撮影する（工程Ｓ２８）。情報読取装置６６Ａが二次元バーコード２９の情報を解析して、パッケージＰ３のシリアルコードを取得する（工程Ｓ２９）とともに、二次元バーコード２９に含まれている他の情報（製品情報、パッケージＰ３内のブリスターパックＰ２のシリアルコード一式、およびパッケージ製造ラインＬ２で付与された収容位置情報のいずれかまたは全て）を取得する。
【００６６】
小売業者端末６６の位置情報取得装置６６Ｂは、ＧＰＳ装置６８により衛星測位システムからの電波を受信し、小売業者の位置情報を取得する（工程Ｓ３０）。小売業者端末６６はパッケージＰ３のシリアルコードをサーバー５８へ送るとともに、取得した場合には他の情報もサーバー５８へ送る。サーバー５８内の検索装置５８Ａは、データベース６０内でパッケージＰ３のシリアルコードを検索し、パッケージＰ３のデータセットが発見されたら、そのデータセットに、小売業者の位置情報を追記する（工程Ｓ３１）。
【００６７】
サーバー５８の真贋判定装置５８Ｂは、ブリスターパック製造ラインＬ１の位置情報と、パッケージ製造ラインＬ２の位置情報と、パッケージＰ３に紐付けられている梱包ラインＬ３の位置情報を、予めデータベース６０に登録されている、錠剤Ｐ１を製造許可されている製造者の位置情報と比較し、Ｌ１およびＬ２の位置情報の少なくとも一つが、錠剤Ｐ１を製造許可されている製造者の位置情報と合致しない場合、または、データベース６０内でパッケージＰ３のシリアルコードが発見できない場合には、小売業者端末６６において異常表示させる。これにより、小売業者は偽造に気づくことができる。
【００６８】
［オプションの真贋判定１］
サーバー５８の真贋判定装置５８Ｂは、パッケージＰ３に紐付けられている卸業者の位置情報を、予めデータベース６０に登録されている単数または複数の卸業者の位置情報と比較し、登録されている卸業者によって販売されたものであるかを確認することもできる。登録されている卸業者によって販売されたものでない場合は、小売業者端末６６において異常表示させてもよい。この時の異常表示は、製造者が一致しない場合の異常表示とは表示の方法を異ならせてもよい。パッケージＰ３に紐付けられている卸業者の位置が登録卸業者の位置と一致するか否かは、前述のように、一定の閾値となる距離を指定しておき、この距離内であれば同一の卸業者であると判断すればよい。
【００６９】
次に、エンドユーザーシステムＬ６では、エンドユーザーがブリスターパックＰ２を購入しようとする際（工程Ｓ３４）に、エンドユーザーがスマートホンのアプリケーションを起動し、ユーザー端末７０を構築する。エンドユーザーはカメラ装置８６によりブリスターパックＰ２上の二次元バーコード１３を撮影する（工程Ｓ３５）。情報読取装置７０Ａが二次元バーコード１３の情報を解析して、ブリスターパックＰ２のシリアルコードを取得する（工程Ｓ３６）とともに、二次元バーコード１３に含まれている他の情報（製品情報、およびブリスターパック製造ラインＬ１の位置情報のいずれかまたは全て）を取得する。エンドユーザーがパッケージＰ３を購入する場合には、前記小売業者の場合と同様に処理すればよい。
【００７０】
エンドユーザー端末７０の位置情報取得装置７０Ｂは、ＧＰＳ装置７２により衛星測位システムからの電波を受信し、エンドユーザーの位置情報を取得する（工程Ｓ３７）。エンドユーザー端末７０はブリスターパックＰ２のシリアルコードをサーバー５８へ送るとともに、取得した場合には他の情報もサーバー５８へ送る。サーバー５８内の検索装置５８Ａは、データベース６０内でブリスターパックＰ２のシリアルコードを検索し、ブリスターパックＰ２のデータセットが発見されたら、そのデータセットに、エンドユーザーの位置情報を追記する（工程Ｓ３８）。
【００７１】
サーバー５８の真贋判定装置５８Ｂは、ブリスターパック製造ラインＬ１の位置情報と、ブリスターパックＰ２に紐付けられているパッケージ製造ラインＬ２および梱包ラインＬ３の各位置情報を、予めデータベース６０に登録されている、錠剤Ｐ１を製造許可されている製造者の位置情報と比較し（工程Ｓ３９）、Ｌ１〜Ｌ３の位置情報の少なくとも一つが錠剤Ｐ１を製造許可されている製造者の位置情報と合致しない場合、または、データベース６０内でブリスターパックＰ２のシリアルコードが発見できない場合には、エンドユーザー端末７０において異常表示させる（工程Ｓ４０）。これにより、エンドユーザーは偽造に気づくことができる。真贋判定装置５８Ｂは、データベース６０に当該結果をブリスターパックＰ２のシリアルコードと紐付けて記憶させる。
【００７２】
［オプションの真贋判定２］
サーバー５８の真贋判定装置５８Ｂは、ブリスターパックＰ２に紐付けられている卸業者／小売業者の位置情報を、予めデータベース６０に登録されている単数または複数の卸業者／小売業者の位置情報と比較し、登録されている卸業者／小売業者によって販売されたものであるかを確認することもできる。登録されている卸業者／小売業者によって販売されたものでない場合は、エンドユーザー端末７０において異常表示させてもよい。この時の異常表示は、製造者が一致しない場合の異常表示とは表示の方法を異ならせてもよい。卸業者が一致しない場合と、小売業者が一致しない場合とで、異常表示の方法を互いに異ならせてもよい。ブリスターパックＰ２に紐付けられている卸業者／小売業者の位置が登録卸業者／小売業者の位置と一致するか否かは、前述のように、一定の閾値となる距離を指定しておき、この距離内であれば同一の卸業者／小売業者であると判断すればよい。
【００７３】
［オプションの真贋判定３］
前記オプションの真贋判定２に代えて、サーバー５８の真贋判定装置５８Ｂは、ブリスターパックＰ２に紐付けられているＬ１〜Ｌ３の位置と、卸業者および小売業者の位置情報を比較し、これらが通常の商取引では考えられないほどに離れている場合には、異常であると判断して、エンドユーザー端末７０において異常表示させてもよい。この時の異常表示は、製造者が一致しない場合の異常表示とは表示の方法を異ならせてもよい。離れすぎているか否かは、前述のように、一定の閾値となる距離を指定しておき、この距離を越えれば異常であると判断すればよい。
【００７４】
［オプションの真贋判定４］
前記オプションの真贋判定２に代えて、サーバー５８の真贋判定装置５８Ｂは、ブリスターパックＰ２に紐付けられているＬ１〜Ｌ３の位置と、卸業者および小売業者の位置情報と、これらの時刻から製造業者から卸業者までの移動速度、卸業者から小売業者までの移動速度をそれぞれ計算し、得られた移動速度が通常の商取引では考えられないほどに大きい場合には、異常であると判断して、エンドユーザー端末７０において異常表示させてもよい。この時の異常表示は、製造者が一致しない場合の異常表示とは表示の方法を異ならせてもよい。移動速度が大きすぎるか否かは、前述のように、一定の閾値となる移動速度を指定しておき、この速度を越えれば異常であると判断すればよい。
【００７５】
［実施形態の効果］
以上説明したように、本実施形態の製品の真贋判定システムによれば、ブリスターパック製造ラインＬ１の位置情報、パッケージ製造ラインＬ２の位置情報、梱包ラインＬ３の位置情報のうち少なくとも一つを、予めデータベース６０に登録されている製造許可を受けた製造者の位置情報とを比較して、ブリスターパックＰ２、パッケージＰ３、または梱包体Ｐ４に含まれる錠剤Ｐ１の真贋を判定するので、ＲＦＩＤタグ中のシリアルコードを確認する従来方法に比して、偽造を行いにくいうえ、製品梱包段階での偽造も防止でき、真贋判断の確実性を高めることができる。
【００７６】
また、錠剤Ｐ１をブリスターパックＰ２に封入する段階で偽造された場合、ブリスターパックＰ２をパッケージＰ３に収容する段階で偽造された場合、および、パッケージＰ３を梱包して梱包体Ｐ４とする段階で偽造された場合のいずれにおいても、確実に真贋を判定することが可能であり、かつ、いずれの段階で偽造されたかの判別も行える。
【００７７】
また、卸業者端末６２、小売業者端末６６、ユーザー端末７０によって読み取りを行う際に、読み取りを行った位置情報を、データベース６０に追記することにより、卸業者、小売業者、エンドユーザーに関する情報が逐次記憶されるため、製薬会社は梱包体Ｐ４の出荷からエンドユーザーに至る流通経路の流れや滞りを把握できるうえ、偽造品が発見された場合には、偽造されたシリアルコードとともに偽造品の情報および異常フラグが記憶されるため、異常事例の一覧を見ることができるだけでなく、個々の異常についてどの過程で偽造品がどのような数量で混入したか、パッケージの状態か製品の状態かなど、偽造品の流通状況やルートを詳しく把握することも可能である。これは、製造会社にとって偽造の防止を図る上で価値がある。
【００７８】
さらに、パッケージＰ３やブリスターパックＰ２のシリアルコードに紐付けられてデータベース６０に保存されている卸業者／小売業者の位置情報を、予めデータベース６０に登録されている単数または複数の卸業者／小売業者の位置情報とそれぞれ比較し、登録されている卸業者／小売業者によって販売されたものであるかを確認した場合には、卸業者／小売業者における偽造を検出することも可能である。
【００７９】
前記実施形態におけるオプションの機能として、データベース６０に蓄えた異常の記録をサーバー５８によって集計して、製造会社のコンピューターへ定期的または不定期に電子メール等で通知したり、あるいは真贋判定システムのプログラムまたはアプリケーション上で表示してもよい。表示の方法としては、いずれの医薬品について、どのような偽造品が見付かったかをリスト化して表示することが可能である。このような通知を行うことにより、製造会社、卸業者、小売業者、エンドユーザー３０がそれぞれの立場で、偽造されやすい特定の医薬品に対して深い注意を払うことが可能となる。
【００８０】
［他の変形例］
本発明の製品の真贋判定システムは、前記実施形態に限定されず、特許請求の範囲に記載された範囲においていかなる変更を行ってもよい。例えば、前記実施形態ではシリアルコードをバーコードで表示していたが、その代わりに文字列で表示し、その文字列をカメラで撮像して画像認識技術によりシリアルコードを読み取ってもよい。文字列からなる製品情報４８は、製品名、製造会社、効能、用法、使用期限などを含んでいてもよい。
【産業上の利用可能性】
【００８１】
本発明の製品の真贋判定システムによれば、パッケージに製品を収容する収容位置、および／または、梱包容器にパッケージを収容する梱包位置情報と、予め前記データベースに登録されている前記製品を製造許可されている製造者の位置情報とを比較して製品の真贋を判定するので、製品に付与されたシリアルコードに基づき製品情報を単に確認する方法に比して、偽造を行いにくいうえ、製品梱包段階での偽造品混入も防止でき、真贋判断の確実性を高めることができるから、産業上の利用が可能である。
【符号の説明】
【００８２】
１：製品の真贋判定システム、２：表面シート、３Ａ：錠剤分配装置、４：ポケット、６：裏面シート、８：ロール、１０：ロール、１２：プリンタ、１３：二次元バーコード、１４：クライアント、１６：モニタ、１８：ＧＰＳ装置、２０：シリアルコード生成装置、２２：コンベヤ、２４：ロール、２６：箱、２８：プリンタ、２９：二次元バーコード、２９Ａ：画像、３０：クライアント、３２：モニタ、３４：ＧＰＳ装置、３６：シリアルコード生成装置、４０：コンベヤ、４２：ロール、４４：大箱、４６：プリンタ、４７：二次元バーコード、４７Ａ：画像、４８：クライアント、５０：モニタ、５２：シリアルコード生成装置、５４：ＧＰＳ装置、５６：インターネット、５８：サーバー、５８Ａ：検索装置、５８Ｂ：真贋判定装置、５８Ｃ：情報登録装置、６０：データベース、６２：卸業者端末、６２Ｂ：卸業者位置情報取得装置、６２Ａ：情報読取装置、６４：ＧＰＳ装置、６６：小売業者端末、６８：ＧＰＳ装置、７０：ユーザー端末、７２：ＧＰＳ装置。
【図１】
2020095647.tif 000003
【図２】
2020095647.tif 000004
【図３】
2020095647.tif 000005
【図４】
2020095647.tif 000006
【図５】
2020095647.tif 000007
【図６】
2020095647.tif 000008
【図７】
2020095647.tif 000009